(57)【要約】【課題】  本発明は除菌器の薬液注入間隔を変速させる為に注入機駆動用誘導電動機に回転数検出用永久磁石を安価、簡易、確実に取付けることを課題とする。【解決手段】  回転数検出用永久磁石を取付ける固定具は樹脂成形にて形成し、凸部とバネ性の鍵部を複数個設け、回転数検出用永久磁石には凹部を複数個設けている。  固定具の凸部と回転数検出用永久磁石の凹部を合わせ嵌入後、固定具、又は、回転数検出用永久磁石を回転させて、固定具のバネ性鍵部と回転数検出用永久磁石の凹部を嵌合し一体化する。又、耐候性樹脂を使用することにより経年劣化などの問題も無くなった。【選択図】  図１
2006345663.tif 000002
【特許請求の範囲】
【請求項１】
家庭用電気井戸ポンプと同一配管に接続され、井戸水を除菌する除菌器において薬液を
注入する為に誘導電動機を使用しており、その誘導電動機を変速させる為に回転数検出用
永久磁石を具備し、
回転数検出用永久磁石を固定する為に固定具を樹脂成形にて形成し、
固定具には凸部とバネ性の鍵部を複数個設け、回転数検出用永久磁石には凹部を複数個
設け、
固定具の凸部と回転数検出用永久磁石の凹部を合わせ嵌入後、固定具又は回転数検出用
永久磁石を回転させて固定具のバネ性の鍵部と回転数検出用永久磁石の凹部が嵌合し一体
化したことを特徴とする回転数検出用永久磁石の固定具。
【発明の詳細な説明】
【技術分野】
【０００１】
本発明は除菌器の除菌用薬液注入機駆動用誘導電動機の回転数検出用永久磁石を簡易に
固定する為に、固定具を樹脂成形にて形成し凸部とバネ性の鍵部を複数個設け、回転数検
出用永久磁石には凹部を複数個設けており、回転数検出用永久磁石を固定具により安価、
簡易、確実に固定する方法に関するものである。
【背景技術】
【０００２】
家庭用電気井戸ポンプと同一配管に接続され、井戸水を除菌する除菌器には薬液を注入
する注入機と薬液が入っている薬液タンクにより構成されている。注入機は誘導電動機に
より駆動される。
【０００３】
薬液が注入され規定の濃度に調整された井戸水は飲用として使用される。
【０００４】
注入機は家庭用電気井戸ポンプと連動しており、家庭用電気井戸ポンプにより汲み上げ
られた井戸水に薬液を薬液タンクより吸上げ注入する。
【０００５】
注入機は誘導電動機により駆動している為注入される薬液量は、家庭用電気井戸ポンプ
により汲み上げられた水量に関係なく一定間隔で一定量注入される。従って薬液の濃度は
少水量の時は濃くなり、大水量の時は薄くなってしまい飲用水の薬液濃度を一定に保つ事
が難しく従来からの課題であった。
【０００６】
それらの解決の為には電動機を変速させる必要がある、誘導電動機の場合回転数を変速
させるにはいくつかの方法があるが、いずれも回転数を検出する為の手段を施しており、
回転数検出用永久磁石を使用するのもその一例である。
【０００７】
従来の技術では回転数検出用永久磁石の固定には、鋼板の固定具と接着剤、又は、鋼材
削り出し品とネジ及びねじネジの回り止め接着剤の組合せを使用してきた。両方法とも固
定具は鋼製でありネジや接着剤を使用しており、特に接着剤を使用すると塗布方法、工程
管理、接着剤保管など十分に管理が必要であり又、接着後の強度確認も難しく、屋外で使
用する場合接着剤の劣化や、鋼板は錆が発生するなど今までに多数の不具合を出してきた
。
【０００８】
鋼製の固定具を使用するとプレスや加工に費用も掛かり高価になる、接着剤やネジなど
の副資材も必要になりこれらは材料費比率が高くなる要因であった。
【０００９】
除菌器の薬液注入間隔を変動させる事はこれからの除菌器開発には不可欠であり、材料
費比率を抑える事は重要な課題である。
【特許文献１】特開平１１−１９６５３号公報
【発明の開示】
【発明が解決しようとする課題】
【００１０】
除菌器の注入機駆動用誘導電動機の回転数を変速させる為に回転数検出用永久磁石を使
用し、固定具により固定する。
【００１１】
従来の技術によれば回転数検出用永久磁石を固定するには鋼製の固定具に接着剤やネジ
を使用し固定して来た。しかし、これらは作業管理が十分必要、耐候性に不安があり、か
つ、材料費比率アップの要因でありこれらを解決する事は重要、かつ、困難であった。
【００１２】
本発明はこれらを解決する事を目的とする。
【課題を解決するための手段】
【００１３】
本発明は前述の如く問題点を解決する方策として、固定具は樹脂成形にて形成し簡易で
確実に固定する為に、軸方向固定には凸部を複数個設け、回転方向固定には複数のバネ性
の鍵部構造部を有したものである。
【００１４】
回転数検出用永久磁石には固定具の凸部に合わせ凹部の構造を有している。
【００１５】
回転数検出用永久磁石と固定具を嵌合しバネ性の鍵部構造部が回転数検出用永久磁石の
凹部に嵌合い回転方向を固定し、その時固定具の凸部は回転数検出用永久磁石の表面を押
さえ軸方向の固定をすることができる。耐候性樹脂を使用することにより経年劣化などの
問題も無くなる。
【発明の効果】
【００１６】
本発明によれば嵌合された回転数検出用永久磁石と固定具は、固定具のバネ性の鍵部構
造部が回転数検出用永久磁石の凹部に嵌合い回転方向を固定し、その時固定具の凸部は回
転数検出用永久磁石の表面を押さえ軸方向の固定をしており一体化する事が出来た。又、
耐候性樹脂を使用することにより経年劣化などの問題も無くなる。
【００１７】
接着剤やネジなどを使用せず、かつ、固定具も樹脂成形品で安価であり材料費率を抑え
、経年劣化も無くなり信頼性も向上し本発明による効果は非常に大きい。
【発明を実施するための最良の形態】
【００１８】
以下、本発明の実施例を図により説明する。
【００１９】
図１は注入機１と薬液タンク２を有した除菌器全体図である。図２は注入機１駆動用誘
導電動機に固定具３と回転数検出用永久磁石６を取付けた状態の図１の部分図。図３は固
定具３の正面図、図４は図３の断面図。図５は回転数検出用永久磁石６の正面図、図６は
固定具３に回転数検出用永久磁石６を装着した時の過程断面図、図７は図６の正面図、図
８は固定具３と回転数検出用永久磁石６の装着完成の断面図であり、図９は図８の正面図
である。
【００２０】
固定具３は樹脂成形にて形成されており回転数検出用永久磁石６を固定する為に凸部４
と、バネ性の特性を有するように形成された回転数検出用永久磁石６の凹部７より小さい
鍵部５をそれぞれ複数具備している。回転数検出用永久磁石６には固定具３の凸部４より
大きい凹部７を具備している。
【００２１】
固定具３と回転数検出永久磁石６を簡易、確実に固定する方法を以下説明する。
【００２２】
固定具３の凸部４と回転数検出用永久磁石６の凹部７の位置を合わせ嵌入する。その時
は図６の状態になっており、固定具３の鍵部５はバネ性の特性を有しているので回転数検
出用永久磁石６に押し出されている形になっている。次に回転数検出用永久磁石６、又は
、固定具３を回転させると、回転数検出用永久磁石６の凹部７と押し出されている固定具
３の鍵部５との位置が合いバネの特性を有している鍵部５は自動的に凹部７に嵌まり合う
。
【００２３】
ここで図７の状態になり固定具３の鍵部５と回転数検出用永久磁石６の凹部７が嵌合し
あい回転方向への回り止めの構造を有することになる。又、軸方向への固定には固定具３
の凸部４が回転数検出用永久磁石６の表面を押さえており飛び出し防止の構造を有したこ
とになる。また、固定具３の凸部４鍵部５と回転数検出用永久磁石６の凹部７はそれぞれ
複数構成することにより強度も上がり、かつ、回転時のバランスも確保することができる
。
【００２４】
樹脂成形により安価に固定具３を製作し、簡易に固定具３と回転数検出用永久磁石６を
装着し、確実に回転方向への回り止めの構造と軸方向への飛び出し防止構造を得ることが
出来る。
【図面の簡単な説明】
【００２５】
【図１】本発明に係わる除菌器全体図である。
【図２】前記図１の部分図である。
【図３】固定具３の正面図である。
【図４】前記図３の断面図である。
【図５】回転数検出永久磁石６の正面図である。
【図６】本発明に係わる組合せ工程過程の断面図である。
【図７】前記図６の正面図である。
【図８】本発明に係わる組合せ工程完成の断面図である。
【図９】前記図８の正面図である。
【符号の説明】
【００２６】
１…注入機、２…薬液タンク、３…固定具、４…固定具凸部、５…固定具鍵部、６…回
転数検出用永久磁石、７…回転数検出用永久磁石凹部。
【図１】
2006345663.tif 000003
【図２】
2006345663.tif 000004
【図３】
2006345663.tif 000005
【図４】
2006345663.tif 000006
【図５】
2006345663.tif 000007
【図６】
2006345663.tif 000008
【図７】
2006345663.tif 000009
【図８】
2006345663.tif 000010
【図９】
2006345663.tif 000011